(57)【要約】      （修正有）【課題】調整可能な屋外用アンテナ吊り下げ構造を提供する。【解決手段】調整可能な屋外用アンテナ吊り下げ構造１００は、固定接続フレーム１０と、アンテナ接続フレーム２０と、２つの滑動部材３０とを含み、該固定接続フレームの２つの調整片１２は、それぞれ少なくとも２つの滑動溝１２１及び軸孔を設け、該アンテナ接続フレームの２つの接続片２２は、それぞれ少なくとも１つの限位孔及び通孔を貫通設置し、該通孔は、軸部材２３によって該軸孔に枢着し、且つ該限位孔は、そのうち１つの滑動溝１２１に対応し、また、該滑動部材は、それぞれ該滑動溝に分離可能に組み付け、且つ該滑動部材は、それぞれ該調整片及び接続片を接続することに用いられる。これにより、本考案は、該滑動溝の設置、並びに該滑動部材が該滑動溝に組み付けられることにより、該アンテナ接続フレームに該固定接続フレームの軸孔を中心点として複数点の傾斜角度調整の動作を形成させることができる。【選択図】図１
0003212948.tif 000002
【実用新案登録請求の範囲】
【請求項１】
固定板を有し、該固定板上に２つの調整片を立たせて設け、該調整片がそれぞれ少なくとも２つの滑動溝及び軸孔を設ける固定接続フレームと、
板体を有し、該板体の一側面は、アンテナ装置を組み付け、他側面は、該調整片に対応して２つの接続片を立たせて設け、該接続片はそれぞれ少なくとも１つの限位孔及び通孔を設け、該通孔は、それぞれ軸部材によって該通孔に枢着し、該限位孔は、そのうち１つの滑動溝に対応するアンテナ接続フレームと、
分離可能に該滑動溝に組み付けられ、且つそれぞれ該調整片及び該接続片を接続することに用いられる２つの滑動部材と、を含み、
該滑動溝の設置によって、該滑動部材を組み合わせ、分離可能に該滑動溝に組み付けられ、該軸部材を利用して該通孔及び該軸孔を枢着し、該アンテナ接続フレームに該固定接続フレームの軸孔を中心点として複数の傾斜角度調整の動作を形成させる、調整可能な屋外用アンテナ吊り下げ構造。
【請求項２】
前記固定板は、少なくとも２つの間隔を呈して設置される溝孔を貫通設置し、該調整可能な屋外用アンテナ吊り下げ構造は、更に少なくとも１つの固定部材を含み、該固定部材は、２つの固定接続端を有し、該固定接続端は、該溝孔に組み付けられ、且つ該固定部材及び該固定板間に位置決め孔を形成し、該位置決め孔は、柱体を固定設置することに用いられる請求項１に記載の調整可能な屋外用アンテナ吊り下げ構造。
【請求項３】
前記固定板は、４つの溝孔を有し、該溝孔は、それぞれ少なくとも２つの限位部及び少なくとも１つの屈曲部を有し、該調整可能な屋外用アンテナ吊り下げ構造は、該溝孔に対応して２つの固定部材を設け、該固定部材は、屈曲ストリップ状を呈し、且つ該固定部材の固定接続端は、該通孔の該限位部又は該屈曲部に組み付けることができる請求項２に記載の調整可能な屋外用アンテナ吊り下げ構造。
【請求項４】
前記調整片の滑動溝は、円弧状を呈する請求項１に記載の調整可能な屋外用アンテナ吊り下げ構造。
【請求項５】
前記接続片は、２つの限位孔を貫通設置し、該限位孔は、それぞれ該滑動溝に対応する請求項４に記載の調整可能な屋外用アンテナ吊り下げ構造。
【請求項６】
前記調整片の上側は、弧状を呈し、２つの嵌合部を凹設し、該接続片の外側は、少なくとも１つの嵌合ブロックを凸設し、該接続片の嵌合ブロックは、そのうち１つの嵌合部に対応嵌合設置できる請求項１に記載の調整可能な屋外用アンテナ吊り下げ構造。
【請求項７】
前記嵌合部は、それぞれ１つの当接面を有し、該嵌合ブロックは、該当接面に当接する請求項６に記載の調整可能な屋外用アンテナ吊り下げ構造。
【請求項８】
前記滑動部材は、ボルト及びナットを含み、該ナットは、該ボルトの一端に螺合される請求項１に記載の調整可能な屋外用アンテナ吊り下げ構造。
【請求項９】
前記板体は、複数の固定孔を貫通設置し、該アンテナ接続フレームは、複数の限位部材によって該固定孔に貫通設置され、該アンテナ装置に組み付けられる請求項１に記載の調整可能な屋外用アンテナ吊り下げ構造。
【考案の詳細な説明】
【技術分野】
【０００１】
本考案は、吊り下げ構造に関し、特に、調整可能な屋外用アンテナ吊り下げ構造に関する。
【背景技術】
【０００２】
科学技術の絶え間ない進歩により、無線伝送装置は、徐々に日常生活の各処に浸透している。
【０００３】
しかしながら、一部のアンテナ（例えば、平板アンテナ又は蝶型アンテナ）について述べれば、往々にして信号発信又は受信の方向に基づき、アンテナ方位又は角度の調整を行い、信号受信又は発信の強度を高めている。
【０００４】
但し、従来のアンテナ装置において、アンテナの受信器を吊り下げ構造に取り付け、使用者に受信器が衛星信号を受信する時の角度及び方位を容易に調整できる。また、上記アンテナ受信器の吊り下げ構造が外力の作用を受ける時、変形又は傾きを生じ易い。従って、戸外で強風を受ける時、吊り下げ構造は、元の設計の角度から偏移する可能性がり、更には、傾き倒れて受信器の損壊を招く。
【０００５】
また、従来の屋外用アンテナ吊り下げ構造は、施工組み立て時、相当に不便であり、戸外で使用するアンテナは、通常体積が大きく、その回転構造も比較的大きな体積を有し、回転構造は、角度を調整する構造を有する必要があり、取り付け人員が通常、相当細やかな組み立てを必要とし、そうでなければ、事故の発生を生じ易く、アンテナの脱落又は固定する螺子の脱落が生じ、通常アンテナは、良好な受発信位置を有する必要があるので、高所で作業し、アンテナが取り付け時に脱落する場合、重力により損壊を招き易く、固定する螺子が脱落する場合、遺失し易く、非常に不便である。
【０００６】
更に、従来のアンテナ吊り下げ構造は、角度を回転調整することができず、先ず、計器で最適な受信位置をテストした後の直接固定し、更に調整を行うことができず、取り付けに誤差を発生する場合、アンテナの受信に影響を及ぼす。
【０００７】
また、従来の屋外用アンテナ吊り下げ構造は、施工組み立て時、少なくとも二人の組み立て人員が必要であり、一人の組み立て辞任が従来の屋外用アンテナ吊り下げ構造及びアンテナ位置を先に確認し、自身の肢体を利用して従来の屋外用アンテナ吊り下げ構造及びアンテナを固定し、もう一人の組み立て人員が傍らで各螺子を正確な位置に挿入螺合し、その固定方式は、厄介であり、少なくとも２つの組み立て人員が同時に組み立てを行う必要がある。
【０００８】
本考案者は、上述の欠陥を観察した後、従来のアンテナ吊り下げ構造は、依然として改良の必要があると認識し、本考案を誕生させている。
【先行技術文献】
【特許文献】
【０００９】
【特許文献１】特表2014-530150号公報
【考案の概要】
【考案が解決しようとする課題】
【００１０】
本考案の目的は、コストが低く、メンテナンスに便利であり、且つ外部に固定構造を別途取り付ける必要がなく、同時に、単点又は複数点の精確な傾き、回転の位置決めを更に行うことができ、風力の負荷干渉に抵抗することができる、調整可能な屋外用アンテナ吊り下げ構造を提供することにある。
【００１１】
本考案のもう１つの目的は、取り付けが容易な利点を有し、且つ組み立て人員にアンテナを容易に取り付けさせることができ、アンテナの脱落の確率を大幅に低減し、回転調整の構造を組み合わせ、アンテナ装置の傾き角度を容易に回転調整でき、更に良好な柔軟性を有し、半分の人力で組み立てを完成可能にする調整可能な屋外用アンテナ吊り下げ構造を提供することにある。
【００１２】
本考案の更にもう１つの目的は、嵌合構造によってアンテナ装置の水平角又は傾斜っく又は水平角、傾斜角の多点駆動回転を制限し、該アンテナ装置を有効に安定位置決めさせる調整可能な屋外用アンテナ吊り下げ構造を提供する。
【課題を解決するための手段】
【００１３】
上記目的を達成する為、本考案が提供する調整可能な屋外用アンテナ吊り下げ構造は、固定板を有し、該固定板上に２つの調整片を立たせて設け、該調整片がそれぞれ少なくとも２つの滑動溝及び軸孔を設ける固定接続フレームと、板体を有し、該板体の一側面は、アンテナ装置を組み付け、他側面は、該調整片に対応して２つの接続片を立たせて設け、該接続片はそれぞれ少なくとも１つの限位孔及び通孔を設け、該通孔は、それぞれ軸部材によって該通孔に枢着し、該限位孔は、そのうち１つの滑動溝に対応するアンテナ接続フレームと、分離可能に該滑動溝に組み付けられ、且つそれぞれ該調整片及び該接続片を接続することに用いられる２つの滑動部材と、を含む。
【００１４】
好ましくは、該固定板は、少なくとも２つの間隔を呈して設置される溝孔を貫通設置し、該調整可能な屋外用アンテナ吊り下げ構造は、更に少なくとも１つの固定部材を含み、該固定部材は、２つの固定接続端を有し、該固定接続端は、該溝孔に組み付けられ、且つ該固定部材及び該固定板間に位置決め孔を形成し、該位置決め孔は、柱体を固定設置することに用いられる。
【００１５】
好ましくは、該固定板は、４つの溝孔を有し、該溝孔は、それぞれ少なくとも２つの限位部及び少なくとも１つの屈曲部を有し、該調整可能な屋外用アンテナ吊り下げ構造は、該溝孔に対応して２つの固定部材を設け、該固定部材は、屈曲ストリップ状を呈し、且つ該固定部材の固定接続端は、該通孔の該限位部又は該屈曲部に組み付けることができる。
【００１６】
好ましくは、該調整片の滑動溝は、円弧状を呈する。
【００１７】
好ましくは、該接続片は、２つの限位孔を貫通設置し、該限位孔は、それぞれ該滑動溝に対応する。
【００１８】
好ましくは、該調整片の上側は、弧状を呈し、２つの嵌合部を凹設し、該接続片の外側は、少なくとも１つの嵌合ブロックを凸設し、該接続片の嵌合ブロックは、そのうち１つの嵌合部に対応嵌合設置できる。
【００１９】
好ましくは、該嵌合部は、それぞれ１つの当接面を有し、該嵌合ブロックは、該当接面に当接する。
【００２０】
好ましくは、該滑動部材は、ボルト及びナットを含み、該ナットは、該ボルトの一端に螺合される。
【００２１】
好ましくは、該板体は、複数の固定孔を貫通設置し、該アンテナ接続フレームは、複数の限位部材によって該固定孔に貫通設置され、該アンテナ装置に組み付けられる。
【考案の効果】
【００２２】
本考案が提供する調整可能な屋外用アンテナ吊り下げ構造は、該滑動溝の設置によって、該滑動部材を合わせて該滑動溝に分離可能に組み付けられ、該軸部材を利用して該通孔及び該軸孔に枢着し、該アンテナ接続フレームに、該固定接続フレームの軸孔を中心点として複数点の傾斜角度調整の動作を形成させる。また、接続片の嵌合ブロックを更に組み合わせ、そのうち１つの嵌合部に対応して嵌合でき、アンテナ装置の水平角又は傾斜角又は水平角、傾斜角の複数点の駆動回転を制限し、該アンテナ装置を有効に安定固定させる。これにより、本考案は、コストが低く、メンテナンスに便利であり、且つ外部に別途固定構造を取り付ける必要がなく、同時、単点又は多点の精確な傾斜、回転の位置決めを行うことができ、風力の負荷干渉を抵抗できる。
【図面の簡単な説明】
【００２３】
【図１】本考案の好適実施例の吊り下げ構造の立体図である。
【図２】本考案の好適実施例のアンテナ装置を組み合わせた立体図である。
【図３】本考案の好適実施例のアンテナ装置を組み合わせた分解立体図である。
【図４】本考案の好適実施例の吊り下げ構造の立体図である。
【図５】本考案の好適実施例の局部拡大使用説明図である。
【図６】本考案の好適実施例の使用状態説明図である。
【図７】本考案の好適実施例の局部拡大使用説明図である。
【図８】本考案の好適実施例の使用状態説明図である。
【考案を実施するための形態】
【００２４】
図１及び図２を参照し、図３及び図４を合わせ、それは、本考案の好適実施例の立体図、分解立体図であり、それは、調整可能な屋外用アンテナ吊り下げ構造１００を開示しており、該調整可能な屋外用アンテナ吊り下げ構造１００は、以下を含む。
【００２５】
固定接続フレーム１０であり、それは、固定板１１を有し、且つ該固定板１１上に２つの調整片１２を立たせて設け、該調整片１２は、それぞれ２つの円弧状を呈する滑動溝１２１及び軸孔１２２を設ける。本実施例において、該固定板１１は、間隔をおいて設置される４つの溝孔１１１を設け、該調整可能な屋外用アンテナ吊り下げ構造１００は、更に、２つの固定部材１３を更に含み、該固定部材１３は、２つの固定接続端１３１を有し、該固定接続端１３１は、該溝孔１１１に組み付けられ、且つ該固定部材１３及び該固定板１１の間は、位置決め１４を形成し、該位置決め孔１４は、柱体３００に固定設置することに用いられる。
【００２６】
また、図４に示すように、該溝孔１１１は、それぞれ少なくとも２つの限位部１１１１及び少なくとも１つの屈曲部１１１２を有し、該調整可能な屋外用アンテナ吊り下げ構造１００は、該溝孔１１１に対応して該固定部材１３を設け、該固定部材１３は、屈曲ストリップ状を呈し、且つ該固定部材１３の固定接続端１３１は、該溝孔１１１の該限位部１１１１又は該屈曲部１１１２に組み付けられることができる。
【００２７】
アンテナ接続フレーム２０であり、それは、板体２１を有し、該板体２１の一側面は、アンテナ装置２００に組み付けられ、他側は、該調整片１２に対応して２つの接続片２２を立たせて設け、該接続片２２は、それぞれ２つの限位孔２２１及び通孔２２２を貫通設置し、該通孔２２２は、それぞれ軸部材２３を介して該軸孔１２２に枢着し、また、該限位孔２２１は、それぞれ該滑動溝１２１に対応する。本実施例において、図１及び図３に示すように、該調整片１２の上側は、弧状を呈し、２つの嵌合部１２３を凹設し、該接続片２２の外側は、嵌合ブロック２２３を凸設し、該接続片２２の嵌合ブロック２２３そのうち１つの嵌合部１２３に対応して嵌合設置され、該嵌合部１２３は、それぞれ当接面１２３１を有し、該嵌合ブロック２２３は、該当接面１２３１に当接する。また、該板体２１は、複数の固定孔２１１を貫通設置し、該アンテナ接続フレーム２０は、複数の限位部材２１２によって該固定孔２１１に貫通設定され、該アンテナ装置２００に組み付けられる。
【００２８】
２つの滑動部材３０であり、それは、それぞれ分離可能に該滑動溝１２１に組み付けられ、且つ該滑動部材３０は、それぞれ該調整片１２及び該接続片２２を接続することに用いられる。本実施例において、該滑動部材３０は、ボルト３１及びナット３２を含み、該ナット３２は、該ボルト３１の一端に螺合される。
【００２９】
更に、本考案の構造特徴、技術手段を運用して達成を予期する効果を理解させるため、本考案の使用方式を以下に説明し、これにより、本考案に対して深く具体的な理解を得ることができる考える。
【００３０】
続いて、図３を参照し、図５及び図６を合わせ、それは、本考案の好適実施例の分解立体図、局部拡大使用説明図及び使用状態説明図である。傾斜状態を使用調整する時、そのうちの該滑動部材３０がそのうち１つの滑動溝１２１に滑動設置する態様を調整し、且つ該滑動部材３０は、該滑動溝１２１に固定設置され、更に異なる傾斜角度の調整を行う。
【００３１】
図７、図８を参照し、それは、本考案の好適実施例の局部拡大使用説明図及び使用状態説明図である。図７、図８は、そのうちの該滑動部材３０は、他の限位孔２２１に設けるように変えられ、他の滑動溝１２１に滑動設置する態様を調整し、且つ該滑動部材３０は、該滑動溝１２１に固定設置され、更に異なる傾斜角度の調整を行う。
【００３２】
更に詳細には、上記構造の傾斜角の調整から説明し、図面を合わせて明確に分かるように、本考案は、主に該滑動溝１２１の設置により、並びに該滑動部材３０を合わせて該滑動溝１２１に分離可能に組み付けられ、該軸部材２３を利用して該通孔２２２及び該軸孔１２２に枢着し、該アンテナ接続フレーム２０は、該固定接続フレーム１０の軸孔１２２を中心点として複数点の傾斜角度調整の動作を形成する。また、図１に示すように、本考案は、更に該接続片２２の嵌合ブロック２２３を組み合わせ、そのうち１つの嵌合部１２４に対応して嵌合設置でき、アンテナ装置２００の水平角又は傾斜角又は水平角、傾斜角の複数点の駆動回転を制限し、該アンテナ装置２００を有効に安定して位置決めさせることができる。
【００３３】
これにより、本考案は、コストが低く、メンテナンスに便利であり、且つ外部に固定構造を別途取り付ける必要がなく、同時に、単点又は複数点の精確な傾き、回転の位置決めを更に行うことができ、風力の負荷干渉に抵抗することができる。
【００３４】
且つ、本考案の該調整片１２は、複数の滑動溝１２１又は単一滑動溝１２１を設置でき、上記は、ただ本考案のうちの実施態様であり、且つ該調整片１２は、複数の滑動溝１２１又は単一の滑動溝１２１を設置でき、それは、同様に水平角又は傾斜角又は水平角、傾斜角の複数点の駆動回転を行うことができる。
【００３５】
また、組み立て人員が組み立て時、該接続片２２の嵌合ブロック２２３をそのうち１つの嵌合部１２３に対応嵌合設置され、続いて該軸部材２３を通孔２２２及び該軸孔１２２に枢着し、その後、該滑動部材３０を該滑動部溝１２１に組み付け、同時に異なる傾斜角度の調整を行い、その後、該滑動部材３０のボルト３１及びナット３２を螺合し、該アンテナ接続フレーム２０の傾斜角度を制限する。本考案は、容易な取り付けの利点を有し、アンテナ脱落の確率を大幅に低減する。
【００３６】
本考案の特徴及びその達成可能な予期する効果は、以下である。
本考案の調整可能な屋外用アンテナ吊り下げ構造１００は、主に該滑動溝１２１の設置によって、該滑動部材３０を合わせて、分離可能に該滑動溝１２１に組み付けられ、該軸部材を利用して該通孔２２２及び該軸孔１２２に枢着し、該アンテナ接続フレーム２０に該固定接続フレーム２０の軸孔１２２を中心点として複数点の傾斜角度の調整の動作を形成する。また、更に該接続片２２の嵌合ブロック２２３を合わせ、そのうち１つの嵌合部１２３に対応嵌合設置でき、アンテナ装置２００の水平角又は傾斜角又は水平角、傾斜角の複数点の駆動回転を制限し、該アンテナ装置２００を有効に安定位置決めさせる。
【００３７】
これにより、本考案は、以下の効果を有する。
その一、コストが低く、メンテナンスに便利であり、且つ外部に固定構造を別途取り付ける必要がなく、同時に、単点又は複数点の精確な傾き、回転の位置決めを更に行うことができ、風力の負荷干渉に抵抗することができる。
その二、取り付けが容易な利点を有し、且つ組み立て人員にアンテナを容易に取り付けさせることができ、アンテナの脱落の確率を大幅に低減し、該滑動溝１２１、該滑動部材３０、該軸部材２３及び該軸孔１２２で構成される回転調整構造を組み合わせ、アンテナ装置２００の傾き角度を容易に回転調整でき、更に良好な柔軟性を有し、半分の人力で組み立てを完成可能にする
その三、嵌合ブロック２２３及び嵌合部１２３の設置により、アンテナ装置２００の水平角又は傾斜角又は水平角、傾斜角の回転を制限し、該アンテナ装置２００を有効に安定位置決めさせ、組み立て人員が該固定接続フレーム１０及び該アンテナ接続フレーム２０を容易に組み立てることができる効果を有する。
【００３８】
以上の説明は本考案の一つの実施例の詳細な説明であり、本考案の範囲を制限するものではない。本考案の範囲内にて行う変更や調整を行っても、本考案の重要な意義は失われず、本考案の範囲に含まれる。
【符号の説明】
【００３９】
１００  吊り下げ構造
１０  固定接続フレーム
１１  固定板
１１１  溝孔
１１１１  限位部
１１１２  屈曲部
１２  調整片
１２１  滑動溝
１２２  軸孔
１２３  嵌合部
１２３１  当接面
１３  固定部材
１３１  固定端
１４  位置決め孔
２０  アンテナ接続フレーム
２１  板体
２１１  固定孔
２１２  限位部材
２２  接続片
２２１  限位孔
２２２  通孔
２２３  嵌合ブロック
２３  軸部材
３０  滑動部材
３１  ボルト
３２  ナット
２００  アンテナ装置
３００  柱体
【図１】
0003212948.tif 000003
【図２】
0003212948.tif 000004
【図３】
0003212948.tif 000005
【図４】
0003212948.tif 000006
【図５】
0003212948.tif 000007
【図６】
0003212948.tif 000008
【図７】
0003212948.tif 000009
【図８】
0003212948.tif 000010